(57)【要約】【課題】曲面板状のパネルへの電極の配置を容易にすること目的とする。【解決手段】タッチパネル２４は、３次元曲面板状に形成されている。タッチパネル２４は、表面パネル２６および裏面パネル２８から構成されている。表面パネル２６は、一方の面が前面として車室側に向けられている。裏面パネル２８は、表面パネル２６の形状に沿って曲面板状に形成され、表面パネル２６の後面に一方の面が前面として対向している。表面パネル２６の後面には第１電極群が配置され、裏面パネル２８の前面には第２電極群が配置されている。表面パネル２６は、中央部が周辺部に比べて厚くなっている。表面パネル２６の後面の中央部近傍は、第１電極群と第２電極群とが重ならない位置で裏面パネル２８の前面に接している。【選択図】図５
2016051305.tif 000002
【特許請求の範囲】
【請求項１】
曲面板状に形成され、一方の面が前面として車室側に向けられる第１パネルと、
前記第１パネルの形状に沿って曲面板状に形成され、前記第１パネルの後面に一方の面が前面として対向する第２パネルと、
前記第１パネルの後面に配置された第１電極群と、
前記第２パネルの前面に配置された第２電極群と、を備え、
前記第１パネルまたは前記第２パネルは、中央部が周辺部に比べて厚いことを特徴とする車両搭載用タッチパネル。
【請求項２】
請求項１に記載の車両搭載用タッチパネルにおいて、
前記第１パネルの後面の中央部近傍は、前記第１電極群と前記第２電極群とが重ならない位置で前記第２パネルの前面に接していることを特徴とする車両搭載用タッチパネル。
【発明の詳細な説明】
【技術分野】
【０００１】
本発明は、車両搭載用タッチパネルに関し、曲面板状のパネルに電極が配置されたタッチパネルに関する。
【背景技術】
【０００２】
自動車には、オーディオ装置、エアコンディショナ、ルームライト、パワーウィンドウ、ウインカ等のアクセサリ機器が搭載される。アクセサリ機器の操作は、多くの場合、車室のコンソールに設けられた操作パネルによって行われる。従来、アクセサリ機器の操作パネルには、押しボタン式のスイッチや、回転つまみ式のロータリスイッチ、回転つまみ式のボリューム等が用いられていた。
【０００３】
近年、車室の居住性を向上させるため、操作パネルには様々な工夫が凝らされている。例えば、乗員がパネルをなぞったり、軽く触れたりするだけでアクセサリ機器の操作が行われるスイッチが広く用いられている。特許文献１には、このようなスイッチとして、複数のセンサ電極が設けられ、各センサ電極の静電容量の変化に基づいてアクセサリ機器を操作するスイッチが記載されている。特許文献１に記載のスイッチでは、車室のインストルメントパネルに、乗員が触れる領域が設けられている。この領域の裏側には、センサ電極が固定されたフレキシブル基板が設けられている。各センサ電極は、フレキシブル基板に設けられた配線を介してアクセサリ機器の制御コントローラに接続されている。
【０００４】
特許文献２および３には、静電容量の変化を検出するタッチセンサが記載されている。このタッチセンサは、縦方向に伸びた複数の電極が横方向に並べて配置され、横方向に伸びた複数の電極が縦方向に並べて配置されている。縦方向に伸びる各電極と横方向に伸びる各電極は電気的に絶縁された上で交差している。縦方向に伸びる複数の電極のうち静電容量が変化したもの、および横方向に伸びる複数の電極のうち静電容量が変化したものを検出することで、人体、ペン、指示棒等の検出目標物が触れた位置が検出される。
【先行技術文献】
【特許文献】
【０００５】
【特許文献１】特開２００９−４３４７３号公報
【特許文献２】特開２０１０−２１１８２３号公報
【特許文献３】特開２０１４−７０６９号公報
【発明の概要】
【発明が解決しようとする課題】
【０００６】
近年では、美観を向上させるという観点等から、自動車に搭載されるパネル部材が曲面板状とされることが多い。しかし、縦方向に伸びる各電極と、横方向に伸びる各電極とが交差する構造等、電極の位置関係が複雑となる場合には、曲面板状のパネル部材に各電極を配置することが困難な場合がある。
【０００７】
本発明は、曲面板状のパネルへの電極の配置を容易にすること目的とする。
【課題を解決するための手段】
【０００８】
本発明は、曲面板状に形成され、一方の面が前面として車室側に向けられる第１パネルと、前記第１パネルの形状に沿って曲面板状に形成され、前記第１パネルの後面に一方の面が前面として対向する第２パネルと、前記第１パネルの後面に配置された第１電極群と、前記第２パネルの前面に配置された第２電極群と、を備え、前記第１パネルまたは前記第２パネルは、中央部が周辺部に比べて厚いことを特徴とする。
【０００９】
望ましくは、前記第１パネルの後面の中央部近傍は、前記第１電極群と前記第２電極群とが重ならない位置で前記第２パネルの前面に接している。
【００１０】
望ましくは、前記第１電極群は、複数の第１方向電極パターンであって、それぞれが第１方向に延伸し、前記第１方向に交差する第２方向に延伸方向を揃えて並べて配置された複数の第１方向電極パターンを備え、前記第２電極群は、複数の第２方向電極パターンであって、それぞれが前記第２方向に延伸し、前記第１方向に延伸方向を揃えて並べて配置された複数の第２方向電極パターンを備える。各前記第１方向電極パターンは、前記複数の第２方向電極パターンと交差し、各前記第２方向電極パターンは、前記複数の第１方向電極パターンと交差する。
【００１１】
望ましくは、前記第１パネルの周辺の少なくとも一部、および前記第２パネルの周辺の少なくとも一部を支持し、前記第１パネルおよび前記第２パネルの位置関係を固定する枠部材を備える。
【発明の効果】
【００１２】
本発明によれば、曲面板状のパネルへの電極の配置を容易にすることができる。
【図面の簡単な説明】
【００１３】
【図１】自動車のフロント操作パネルを示す図である。
【図２】タッチディスプレイの斜視図である。
【図３】タッチディスプレイの分解斜視図である。
【図４】フレームの正面図である。
【図５】タッチディスプレイの断面図である。
【図６】タッチディスプレイの断面図である。
【図７】タッチパネルの断面図である。
【図８】表側パネルの後面に形成された各ｘ座標電極パターンを示す図である。
【図９】裏側パネルの前面に形成された各ｙ座標電極パターンを示す図である。
【発明を実施するための形態】
【００１４】
図１には、本発明の実施形態に係る自動車のフロント操作パネル１０が示されている。フロント操作パネル１０は車室の前方に配置され、タッチディスプレイ１２、アクセサリ機器の押しボタン式スイッチ１４、空調装置の通風口１６、ハザードスイッチ１８等を備える。タッチディスプレイ１２は、タッチスイッチとディスプレイの機能を有する。ユーザは、押しボタン式スイッチ１４やタッチディスプレイ１２の操作によって、オーディオ機器、空調装置等のアクセサリ機器の操作を行う。タッチディスプレイ１２にはアクセサリ機器の動作状態が表示される。図１に示される例では、タッチディスプレイ１２には、ミュージックプレーヤの操作キー、および再生中の音楽の周波数スペクトラム、トラック番号および再生時間が表示されている。タッチディスプレイ１２の表面のうち、タッチディスプレイ１２に表示された操作キーに対応する位置にユーザが触れることで、ミュージックプレーヤの操作が行われる。
【００１５】
図２には、フロント操作パネルに取り付けられる前のタッチディスプレイ１２の斜視図が示されている。図２のｘ軸正方向は、車室からタッチディスプレイ１２に向かって右方向に対応する。ｙ軸正方向は上方向に対応し、ｚ軸正方向はタッチディスプレイ１２から車室に向かう方向に対応する。以下の説明では、タッチディスプレイ１２から車室に向かう方向を前方とし、車室からタッチディスプレイ１２に向かう方向を後方とする。
【００１６】
タッチディスプレイ１２は、本体ケース２０、フレーム２２、およびタッチパネル２４を備える。本体ケース２０の形状は、自動車への実装状態、本体ケース２０内部に収容される部品の配置等に応じて、例えば、直方体形状の一部を変形させた形状とする。図２に示されている例では、直方体形状から、左奥側の角を四角柱状に欠損させた形状を有している。フレーム２２は、本体ケース２０の前面に、本体ケース２０の縁に沿った位置で固定されている。タッチパネル２４はフレーム２２に固定されている。タッチパネル２４にユーザの指が触れることでタッチディスプレイ１２の操作が行われる。
【００１７】
図３には、タッチディスプレイ１２の分解斜視図が示されている。タッチディスプレイ１２は、この分解斜視図に示された構成要素が組み立てられた上で、自動車のフロント操作パネルに取り付けられる。タッチパネル２４は、表側パネル２６および裏側パネル２８から構成される。表側パネル２６および裏側パネル２８は、透明または半透明なプラスチック樹脂等によって形成されている。表側パネル２６の後面、および裏側パネル２８の前面のそれぞれには、複数の電極パターンが形成されている。表側パネル２６からは、各電極パターンに接続されたケーブル群３０がｘ軸負方向に引き出されている。裏側パネル２８からは、各電極パターンに接続されたケーブル群３２がｙ軸負方向に引き出されている。表側パネル２６および裏側パネル２８はフレーム２２に固定され重ねられる。表側パネル２６および裏側パネル２８が重ねられることでタッチパネル２４が形成される。各ケーブル群は、例えば後方に折り曲げられてフレーム２２の内側に通される。
【００１８】
ディスプレイ３４は、フレーム２２の後方に嵌め込まれる。ディスプレイカバー３６は、フレーム２２に嵌め込まれたディスプレイ３４を後方から覆い、ディスプレイ３４を覆った状態でフレーム２２に固定される。ディスプレイカバー３６には、後方からフロント基板３８が固定される。フロントユニットカバー４０は、ディスプレイ３４、ディスプレイカバー３６、およびフロント基板３８を後方から覆った状態で、フレーム２２に固定される。フロントユニットカバー４０は筐体板４２に固定され、筐体板４２は本体ケース２０の前面の開口を覆った状態で、本体ケース２０に固定される。
【００１９】
本体ケース２０には、本体搭載基板４４−１〜４４−３が搭載されている。各本体搭載基板は、ｚｘ平面に平行に本体ケース２０内に所定の間隔を隔てて配置されている。フロント基板３８、および本体搭載基板４４−１〜４４−３のうちのいずれかには画像処理回路が実装されている。画像処理回路はアクセサリ機器に接続されており、アクセサリ機器の制御に基づいて画像データを生成し、ディスプレイ３４にその画像データに基づく画像を表示させる。フロント基板３８、および本体搭載基板４４−１〜４４−３のうちいずれかにはタッチ制御回路が実装されている。タッチ制御回路には、表側パネル２６および裏側パネル２８のそれぞれから引き出されたケーブル群３０およびケーブル群３２が接続される。タッチ制御回路は、タッチパネル２４に対するユーザの操作に応じてアクセサリ機器を制御する。画像処理回路およびタッチ制御回路のそれぞれは、フロント基板３８、本体搭載基板４４−１〜４４−３のうち１つに実装してもよいし、これらの基板に分散させて実装してもよい。
【００２０】
図４には、タッチディスプレイに組み込まれる前のフレーム２２の正面図が示されている。フレーム２２には、その内側の縁に沿ってオフセット面４６が形成されている。オフセット面４６は、フレーム前面４８よりも後方に位置し、前方に面している。オフセット面４６には裏側パネルが固定され、フレーム前面４８には表側パネルが固定される。ｘ軸方向に伸びる下方の区間にはスリット５０が設けられている。このスリット５０は、美観を向上させるために設けられている。例えば、スリット５０に発光ダイオード等の光源を設け、光源から発せられた光が、スリット５０から前方に放射されるようにしてもよい。また、表側パネルに曇り加工を施し、光源からの光を散乱させてもよい。
【００２１】
図５（ａ）には、図２のＡＢ線における断面が示されている。ただし、この図には、フロントユニットカバー４０よりも前方の部分が示されている。図２〜図４に示された構成要素と同一の構成要素については同一の符号を付してその説明を省略する。
【００２２】
裏側パネル２８は、フレーム２２に形成されたオフセット面４６の外周と同一の形状を有する。裏側パネル２８はオフセット面４６に嵌め込まれ、フレーム２２に固定されている。表側パネル２６は、フレーム前面４８の外周と同一の形状を有し、フレーム前面４８に固定されている。フレーム後面４９には、ディスプレイ３４が接触している。ディスプレイカバー３６は、ディスプレイ３４を後方から覆い、ディスプレイ３４を覆った状態でフレーム２２に固定されている。フレーム後面４９の周辺には、ディスプレイ３４を囲む周辺壁５２が形成されている。フロントユニットカバー４０は、その縁が周辺壁５２の縁に合わせられた状態でフレーム２２に固定されている。フロントユニットカバー４０は、ディスプレイ３４、ディスプレイカバー３６およびフロント基板３８を後方から覆う。
【００２３】
表側パネル２６および裏側パネル２８によって形成されるタッチパネル２４は、ｚｘ平面内において弓状の曲線を描いている。タッチパネル２４は、ｙｚ平面内においても弓状の曲線を描いており、３次元曲面板形状を有している。
【００２４】
図５（ｂ）には、図５（ａ）の破線の丸印５４で囲まれた部分の拡大図が示されている。この図に示されているように、表側パネル２６の中央部は周辺部よりも厚くなっている。表側パネル２６の後面は、厚みを帯びた部分において裏側パネル２８の前面に接触している。
【００２５】
図６（ａ）には、図２のＣＤ線における断面が示されている。図５（ａ）と同様、図６（ａ）には、フロントユニットカバー４０よりも前方の部分が示されている。図２〜図５に示された構成要素と同一の構成要素については同一の符号を付してその説明を省略する。
【００２６】
表側パネル２６は、フレーム２２に設けられたギャップ５０を覆い、フレーム前面４８に固定されている。タッチパネル２４はｙｚ平面内において弓状の曲線を描いている。上述のように、タッチパネル２４は、ｚｘ平面内においても弓状の曲線を描いており、３次元曲面板形状を有している。
【００２７】
図６（ｂ）には、図６（ａ）の破線の丸印５６で囲まれた部分の拡大図が示されている。図６（ｂ）に示されているように、表側パネル２６の中央部は、周辺部よりも厚くなっている。表側パネル２６の後面は、厚みを帯びた部分において裏側パネル２８の前面に接触している。
【００２８】
ここでは、タッチパネル２４として、３次元曲面板形状を有しているものについて取り上げた。タッチパネル２４は、１本の直線を母線としたアーチ形状の２次元曲面板形状であってもよい。例えば、タッチパネル２４は、ｚｘ平面内において曲線を描き、ｙｚ平面内において直線を描く２次元曲面板形状であってもよい。また、タッチパネル２４は、ｙｚ平面内において曲線を描き、ｚｘ平面内において直線を描く２次元曲面板形状であってもよい。
【００２９】
図７には、タッチパネル２４のｚｘ平面内の形状が示されている。ただし、この図では、特徴を明確に示すため、前後方向（ｚ軸方向）の厚みが誇張されている。表側パネル２６の前面は前方に凸の形状を有し、表側パネル２６の後面は後方に凸の形状を有する。また、裏側パネル２８の前面は前方に凸の形状を有し、裏側パネル２８の後面は後方に凹の形状を有する。裏側パネル２８の後面は、平面または後方に凸の形状であってもよい。
【００３０】
表側パネル２６は、周辺部から中央部に向かって厚みが徐々に増加し、中央部が周辺部よりも厚くなっている。表側パネル２６の後面は、厚みを帯びた部分において裏側パネル２８の前面に接触している。表側パネル２６の最も厚い箇所の厚みは、例えば、１ｍｍであり、裏側パネル２８の厚みは例えば、２ｍｍである。タッチパネル２４の両端においては、表側パネル２６と裏側パネル２８との間の距離は、例えば、０．３ｍｍとする。表側パネル２６と裏側パネル２８との間の距離は、ニュートンリングが生じないという観点から定められてもよい。
【００３１】
ここでは、タッチパネル２４のｚｘ平面内の形状を示したが、ｙｚ平面内の形状も同様である。すなわち、表側パネル２６の前面は前方に凸の形状を有し、表側パネル２６の後面は後方に凸の形状を有する。また、裏側パネル２８の前面は前方に凸の形状を有し、裏側パネル２８の後面は後方に凹の形状を有する。裏側パネル２８の後面は、平面または後方に凸の形状であってもよい。
【００３２】
また、ここでは、表側パネル２６について、厚みを中央部に向かって厚くする場合について取り上げたが、裏側パネル２８について、厚みを中央部に向かって厚くする構造としてもよい。この場合、裏側パネル２８の前面は、厚みを帯びた部分において表側パネル２６の後面に接触する。
【００３３】
図８には、表側パネル２６の後面に形成されたｘ座標電極パターンＸ１〜Ｘ１９が示されている。各ｘ座標電極パターンは、ＩＴＯ（Indium Tin Oxide）等、透明または半透明な導電性材料によって形成され、スパッタリング、蒸着、印刷等の工法で表側パネル２６の後面に固定されている。各ｘ座標電極パターンは、縦方向に配列された複数のｘ電極５８を備える。複数のｘ電極５８は、直線状のｘ電極接続パターン６０によって直列接続され、縦方向に延伸するｘ座標電極パターンが形成される。本実施形態では、各ｘ座標電極パターンは１１個のｘ電極５８を備える。ｘ座標電極パターンＸ１〜Ｘ１９は、延伸方向を縦方向に揃えて横方向に並べて配列されている。ｘ座標電極パターンＸ１〜Ｘ１９には、それぞれ、ｘ座標値ｘ１〜ｘ１９が対応付けられている。ｘ座標電極パターンＸ１〜Ｘ１９のそれぞれにはケーブルが接続され、このケーブル群がタッチディスプレイに搭載されたタッチ制御回路に接続されている。
【００３４】
図９には、裏面パネル２８の前面に形成されたｙ座標電極パターンＹ１〜Ｙ１０が示されている。各ｙ座標電極パターンは、ＩＴＯ等、透明または半透明な導電性材料によって形成され、スパッタリング、蒸着、印刷等の工法で裏側パネル２８に固定されている。各ｙ座標電極パターンは、横方向に配列された複数のｙ電極６２を備える。複数のｙ電極６２は、直線状のｙ電極接続パターン６４によって直列接続され、横方向に延伸するｙ座標電極パターンが形成される。本実施形態では、各ｙ座標電極パターンは２０個のｙ電極６２を備える。ｙ座標電極パターンＹ１〜Ｙ１０は、延伸方向を横方向に揃えて縦方向に並べて配列されている。ｙ座標電極パターンＹ１〜Ｙ１０には、それぞれ、ｙ座標値ｙ１〜ｙ１０が対応付けられている。ｙ座標電極パターンＹ１〜Ｙ１０のそれぞれにはケーブルが接続され、このケーブル群が、上述のタッチ制御回路に接続されている。
【００３５】
表側パネル２６および裏側パネル２８が重ねられることで、ｘ座標電極パターンＸ１〜Ｘ１９に属する各ｘ電極５８は、ｙ座標電極パターンＹ１〜Ｙ１０の隙間に対向し、ｙ座標電極パターンＹ１〜Ｙ１０に属する各ｙ電極６２は、ｘ座標電極パターンＸ１〜Ｘ１９の隙間に対向する。また、各ｘ電極接続パターン６０には、対応するｙ電極接続パターン６４が交差し、各ｙ電極接続パターン６４には、対応するｘ電極接続パターン６０が交差する。
【００３６】
表側パネル２６および裏側パネル２８は、例えば、ｘ座標電極パターンＸ９とｘ座標電極パターンＸ１０との間、および、ｙ座標電極パターンＹ５とｙ座標電極パターンＹ６との間に形成される隙間において接触するものとする。あるいは、表側パネル２６および裏側パネル２８は、ｘ座標電極パターンＸ１０とｘ座標電極パターンＸ１１との間、および、ｙ座標電極パターンＹ５とｙ座標電極パターンＹ６との間に形成される隙間において接触するものとしてもよい。
【００３７】
このように、本実施形態に係るタッチディスプレイは、３次元曲面板状に形成された表側パネル（第１パネル）２６と、表側パネル２６の形状に沿って３次元曲面板状に形成され、表側パネル２６の後面にその前面が対向する裏側パネル（第２パネル）２８と、表側パネル２６の後面に配置された第１電極群としての複数のｘ座標電極パターンと、裏側パネル２８の前面に配置された第２電極群としての複数のｙ座標電極パターンとを備える。さらに、表側パネル２６の後面の中央部近傍は、ｘ座標電極パターンとｙ座標電極パターンとが重ならない位置で裏側パネル２８の前面に接する。また、本実施形態に係るタッチディスプレイは、第１電極群としての複数のｘ座標電極パターンであって、それぞれが縦方向に延伸し、延伸方向を揃えて横方向に並べて配置された複数のｘ座標電極パターンを備え、第２電極群としての複数のｙ座標電極パターンであって、それぞれが横方向に延伸し、延伸方向を揃えて縦方向に並べて配置された複数のｙ座標電極パターンを備える。各第１方向電極パターンは、複数の第２方向電極パターンと交差し、各第２方向電極パターンは、複数の第１方向電極パターンと交差する。望ましくは、表側パネル２６の周辺の少なくとも一部、および裏側パネル２８の周辺の少なくとも一部を支持し、表側パネル２６および裏側パネル２８の位置関係を固定する枠部材を備える。本実施形態においては、枠部材としてフレーム２２が設けられている。
【００３８】
ここでは、表側パネル２６の後面にｘ座標電極パターンを配置し、裏側パネル２８の前面にｙ座標電極パターンを配置した構成について取り上げたが、表側パネル２６の後面にｙ座標電極パターンを配置し、裏側パネル２８の前面にｘ座標電極パターンを配置した構成を採用してもよい。
【００３９】
タッチディスプレイの動作について説明する。ユーザの指が、タッチパネル２４の前面に接触または接近することにより、ｘ座標電極パターンＸ１〜Ｘ１９のいずれか、および、ｙ座標電極パターンＹ１〜Ｙ１０のいずれかにユーザの指が接近する。これによって、ユーザの指が接近したｘ座標電極パターンおよびｙ座標電極パターンの静電容量が変化する。
【００４０】
タッチ制御回路は、各ｘ座標電極パターンおよび各ｙ座標電極パターンにおける静電容量を検出するアナログ回路、および、静電容量が変化した電極パターンの座標値を求めるディジタル回路を備える。
【００４１】
タッチ制御回路は、ｘ座標電極パターンＸ１〜Ｘ１９のうち、静電容量が変化したものを検出し、さらに、ｙ座標電極パターンＹ１〜Ｙ１０のうち、静電容量が変化したものを検出する。タッチ制御回路は、この検出結果に基づいて、静電容量が変化したｘ座標電極パターンおよびｙ座標電極パターンを特定する。そして、静電容量が変化したｘ座標電極パターンに対応するｘ座標値、および静電容量が変化したｙ座標電極パターンに対応するｙ座標値に応じて、アクセサリ機器を制御する。
【００４２】
例えば、アクセサリ機器がオーディオ装置である場合には、タッチ制御回路は、検出された座標値に応じて音量、音質等を制御する。アクセサリ機器がエアコンディショナである場合には、タッチ制御回路は、検出された座標値に応じて送風レベル、温度等を制御する。さらに、タッチパネル２４上におけるユーザの指の動きに応じたアクセサリ機器の制御が行われてもよい。例えば、指がタッチパネル２４上で円形を描くように動かされた場合には、検出される座標値が指の動きに応じて変化する。タッチ制御部は、座標値の変化が示す指の回転方向に応じて、オーディオ機器の音量調整や、エアコンディショナの温度調整を行うこととしてもよい。
【００４３】
なお、ここでは、タッチパネル２４にユーザの指を接近または接触させる例について説明した。タッチパネル２４は、ペン、指示棒等のその他の検出対象物によって操作が行われてもよい。
【００４４】
本実施形態に係るタッチディスプレイでは、図８および図９に示されているように、ｘ座標電極パターンが表側パネル２６の裏面に形成され、ｙ座標電極パターンが裏側パネル２８の表面に形成される。すなわち、ｘ座標電極パターンとｙ座標電極パターンとは、異なる部材に別個独立に形成される。そして、各ｘ座標電極パターンおよび各ｙ座標電極パターンは、表側パネル２６および裏側パネル２８がフレーム２２に固定されることで適切な位置に配置される。これによって、簡単な工程で、適切な位置に各ｘ座標電極パターンおよび各ｙ座標電極パターンが配置される。
【００４５】
また、図５および図６に示されているように、タッチパネル２４においては、表側パネル２６の中央部が周辺部よりも厚くされ、厚みを帯びた中央部近傍において表側パネル２６の後面が、裏側パネル２８の前面に接触している。これによって、タッチパネル２４が薄くなると共に、タッチパネル２４の機械的強度が高くなる。タッチパネル２４を薄くすることで、ｘ座標電極パターンおよびｙ座標電極パターンがタッチパネル２４の前面に近付き、タッチパネル２４の感度が高くなる。さらに、フロント操作パネルから与えられる衝撃に対する耐性が高まると共に、タッチ操作による変形が軽減される。
【符号の説明】
【００４６】
１０  フロント操作パネル、１２  タッチディスプレイ、１４  押しボタン式スイッチ、１６  通風口、１８  ハザードスイッチ、２０  本体ケース、２２  フレーム、２４  タッチパネル、２６  表側パネル、２８  裏側パネル、３０，３２  ケーブル群、３４  ディスプレイ、３６  ディスプレイカバー、３８  フロント基板、４０  フロントユニットカバー、４２  筐体板、４４−１〜４４−３  本体搭載基板、４６  オフセット面、４８  フレーム前面、４９  フレーム後面、５０  スリット、５２  周辺壁、５４，５６  タッチパネルの一部分、５８  ｘ電極、６０  ｘ電極接続パターン、６２  ｙ電極、６４  ｙ電極接続パターン、Ｘ１〜Ｘ１９  ｘ座標電極パターン、Ｙ１〜Ｙ１０  ｙ座標電極パターン。
【図１】
2016051305.tif 000003
【図２】
2016051305.tif 000004
【図３】
2016051305.tif 000005
【図４】
2016051305.tif 000006
【図５】
2016051305.tif 000007
【図６】
2016051305.tif 000008
【図７】
2016051305.tif 000009
【図８】
2016051305.tif 000010
【図９】
2016051305.tif 000011